(57)【特許請求の範囲】
【請求項１】
少なくとも無線電波により着信した複数のメッセージを下層の階層に置き、最上階層を有する多階層構造の情報管理がなされ、前記各階層下での画面表示を含む動作が可能であり、且つ、指示入力が可能な入力手段と、画面表示がなされる画像表示器を備える携帯無線情報端末装置の画面操作方法であって、
受信された信号が前記携帯無線情報端末装置宛ての信号であるか否かを確認し、
前記受信された信号が前記携帯無線情報端末装置宛てであると確認された場合、前記受信された信号から得られた情報信号である前記メッセージを前記下層の階層に格納するとともに、前記下層の階層に格納された前記メッセージごとに、前記メッセージに対応する項目を前記下層の階層よりも上の階層に追加し、
或る階層からひとつ上の層への移動動作と、該ひとつ上の階層の画面表示動作とが組になった画面操作処理が、所定の指示入力が為されている期間、反復実行され、
前記所定の指示入力が終了したか、または前記最上階層に到達した場合、前記移動動作を停止させる
ことを特徴とする携帯無線情報端末装置の画面操作方法。
【請求項２】
前記最上階層がメインメニュー表示の階層であることを特徴とする請求項１記載の携帯無線情報端末装置の画面操作方法。
【請求項３】
前記最上階層が待受画面表示の階層であることを特徴とする請求項１記載の携帯無線情報端末装置の画面操作方法。
【請求項４】
少なくとも無線電波により着信した複数のメッセージを下層の階層に置き、最上階層がメインメニュー表示の階層か、または最上階層が待受画面表示の階層である、多階層構造の情報管理がなされ、前記各階層下での画面表示を含む動作が可能であり、且つ、指示入力が可能な入力手段と、画面表示がなされる画像表示器とを備える携帯無線情報端末装置であって、
受信された信号が前記携帯無線情報端末装置宛ての信号であるか否かを確認する確認手段と、
前記受信された信号が前記携帯無線情報端末装置宛てであると確認された場合、前記受信された信号から得られた情報信号である前記メッセージを前記下層の階層に格納するとともに、前記下層の階層に格納された前記メッセージごとに、前記メッセージに対応する項目を前記下層の階層よりも上の階層に追加する格納手段と、
前記入力手段からの入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段と
を備え、
且つ、前記入力信号の継続中は、前記画面操作処理が反復実行される
ことを特徴とする携帯無線情報端末装置。
【請求項５】
前記入力手段は、押込入力機器と一体となっている回転入力機器から構成される
ことを特徴とする請求項４に記載の携帯無線情報端末装置。
【請求項６】
前記入力手段の回転方向を示す情報と、前記入力手段の回転量および回転速度を示す情報とを生成する生成手段と、
前記入力手段に対する一度の操作が、一度の処理に対応するように、前記生成手段から情報が入力されると、直ちにその情報を出力するか、または前記入力手段に対する連続操作がされると、処理が反復実行されるように、前記生成手段から入力された情報をホールドしてから出力する入力信号処理手段と
をさらに備えることを特徴とする請求項５に記載の携帯無線情報端末装置。
【請求項７】
ファイルおよびフォルダを階層構造に編成するプログラムを記録するシステムメモリをさらに備え、
着信された前記メッセージごとに、前記メッセージの新たなファイルが生成される
ことを特徴とする請求項４に記載の携帯無線情報端末装置。
【請求項８】
情報データの添加、削除、およびロックを制御するためのプログラムを記録するシステムメモリをさらに備える
ことを特徴とする請求項４に記載の携帯無線情報端末装置。
【請求項９】
受信された信号が携帯無線情報端末装置宛ての信号であるか否かを確認する確認手段と、
前記受信された信号が前記携帯無線情報端末装置宛てであると確認された場合、前記受信された信号から得られた情報信号であるメッセージを、多階層の下層の階層に格納するとともに、前記下層の階層に格納された前記メッセージごとに、前記メッセージに対応する項目を前記下層の階層よりも上の階層に追加する格納手段と、
画像表示機器と入力機器とを備え、最上階層がメインメニュー表示の階層か、または最上階層が待受画面表示の階層であり、少なくとも無線電波により着信した複数の前記メッセージが前記下層の階層に置かれる、多階層による情報管理がなされた前記携帯無線情報端末装置がいずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記五種類の手段が、コンピュータが読み取り、且つコンピュータが実行可能なプログラムとして記録され、
且つ、前記入力信号の継続中は、前記画面操作処理が反復実行される
ことを特徴とする記録媒体。
【請求項１０】
中央演算処理装置と、前記中央演算処理装置が読み取り且つ実行可能な手順をプログラムとして記録可能な記録部と、少なくとも前記中央演算処理装置および前記記録部に接続され、且つ、外部から接続可能なデータ伝達部を内蔵し、前記中央演算処理装置により処理された結果に基づく信号を外部機器に有線または無線により伝達する機能を具備するマイクロコンピュータ装置であって、
受信された信号が携帯無線情報端末装置宛ての信号であるか否かを確認する確認手段と、
前記受信された信号が前記携帯無線情報端末装置宛てであると確認された場合、前記受信された信号から得られた情報信号であるメッセージを、多階層の下層の階層に格納するとともに、前記下層の階層に格納された前記メッセージごとに、前記メッセージに対応する項目を前記下層の階層よりも上の階層に追加する格納手段と、
画像表示機器と入力機器とを備え、最上階層がメインメニュー表示の階層か、または最上階層が待受画面表示の階層であり、少なくとも無線電波により着信した複数の前記メッセージが前記下層の階層に置かれる、多階層による情報管理がなされた前記携帯無線情報端末装置がいずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記五種類の手段が、前記中央演算処理装置により読み取り、且つ実行可能なプログラムとして記録され、
且つ、前記入力信号の継続中は、前記画面操作処理が反復実行される
ことを特徴とするマイクロコンピュータ装置。
【請求項１１】
前記入力機器は、押込入力機器と一体となっている回転入力機器から構成され、前記入力信号を発生させる
ことを特徴とする請求項１０に記載のマイクロコンピュータ装置。
【発明の詳細な説明】
【技術分野】
【０００１】
本発明は、携帯無線情報端末装置および画面操作方法に関し、特に受信されたメッセージ情報が階層構造で管理され、各階層下で画面表示する携帯無線情報端末装置、とりわけページャ装置とその画面操作方法に関する。
【背景技術】
【０００２】
可搬型で携帯に適し、通信ネットワークの端末装置として機能する携帯無線情報端末装置は、近年の情報通信分野における広範かつ急激な需要拡大に応えるべく、多様な構成と機能のものが実用化されている。
【０００３】
このような携帯無線情報端末装置の一例として、無線により信号受信を行うページャ装置が広範に使用されている。
【０００４】
初期のページャは、無線基地局から発せられる呼出信号を受信するとベル奏鳴がなされる端末装置であり、この装置を携帯して、離れた場所に居る使用者に対し、無線により呼出信号を発して通報し、使用者に最寄りの有線電話器からの連絡を促すものであった。
【０００５】
そして、無線基地局から発せられる信号を単なる呼出信号にとどまらず、情報を載せた信号を発信可能にし、一方受信側では、この情報を載せた信号の着信があると、この着信を復元したメッセージ情報などをメモリに記憶するとともに、復元したメッセージを液晶表示パネルに表示する機能を備えるページャ装置が開発され、現在広く使用されるに至っている。
【０００６】
こうしたページャ装置は、着信を復元したメッセージ文をメッセージファイルに編成して、メッセージファイルごとにメッセージ記憶メモリに記憶する。こうしたメッセージファイルには、メッセージ本文に加えて、各メッセージの属性や、制御情報が記録される。
【０００７】
属性部分には例えば、そのメッセージの着信日時や、メッセージ容量や、メッセージの種類などの情報が記録されている。このうち、メッセージの種類には、個人が発信したメッセージや、あるいは情報サービス機関などから届くサービス用メッセージなどがあり、これら種類毎のコード番号が添付される。
【０００８】
また、制御情報には、例えばこのメッセージを受信ファイルから削除・消去されるのを禁止するためのロック・フラグが添付される。
【０００９】
さらに、たとえばスクロール動作の実行において、スクロールフォーマットを指定・更新するためのインデクスが添付されることもある。
【００１０】
また、メッセージ文を画面に表示させる際には、内蔵する液晶表示パネルに例えば一行２０文字で、４行分が一度に表示されるが、メッセージ文が多数の行に亘る場合には、使用者が入力操作することによりスクロールがなされ、順に全文が表示可能になっている。
【００１１】
ところで従来のページャ装置では、複数の着信メッセージ文を記憶した際に、これらのメッセージ文の参照を容易にするために、目次が準備されるようになった。こうした目次は、使用者がメッセージ文の内容を確認後に、このメッセージを短縮させたヘッドラインを、何等かの入力手段を用いて自身で打ち込み、これを見出しとして目次を編成することも可能であるが、一般的な目次作成は、着信メッセージ文の一部分とりわけメッセージ文先頭の一部分を転写して見出しとする、サムネイル形式が採用されている。
【００１２】
そして、これら目次データとメッセージデータを効率的に管理するために、データを階層の情報構造とし、具体的には上層の階層に目次を置き、下層の階層にメッセージ文、すなわちメッセージファイルを置く、階層構造が適用されるに至った。そして各階層下では、それぞれ対応する画面が表示されるように構成されている。
【００１３】
さらに、着信するメッセージ数と種類の増加に対応して、メッセージファイルが置かれる下層の階層がさらに複数の階層に分割される傾向にある。
【００１４】
一方、上層の階層についても、主としてメッセージファイルの目次の層であったメインメニューが自体が階層化される傾向にある。
【００１５】
さらに最上層として、待受画面の層などが導入されるに至った。この待受画面の階層は、パワーセービングがなされるモードとなっている。
【００１６】
上記の結果、多階層構成が広く適用される傾向にある。
【発明の概要】
【発明が解決しようとする課題】
【００１７】
ところで、前記のような多階層構成において、或る下層の階層からメインメニューや、待受画面に戻る場合には、一層ずつの階層移動を何度か繰り返す操作が必要であった。
【００１８】
このため操作が面倒であり、また誤操作がなされる心配があり、よって操作性において問題があった。
【００１９】
さらに、操作性のみならず、処理完了までに時間がかかり、迅速な処理に難があって、直ちにパワーセービング状態にできず、よって電源の使用効率が改善されないといった問題があった。
【００２０】
本発明は、前記のような従来の携帯無線情報端末装置における画面操作構成の課題を解決するため為されたもので、階層構造でデータ管理がなされ、ある階層下で作動中に、一度の簡単な入力操作で直ちに所定の上階層への移動が可能な携帯無線情報端末装置と、その画面操作方法を提供することを目的とする。
【課題を解決するための手段】
【００２１】
前記目的を達成するため、本発明に係る携帯無線情報端末装置の画面表操作方法は、少なくとも無線電波により着信した複数のメッセージを下層の階層に置き、最上階層を有する多階層構造の情報管理がなされ、前記各階層下での画面表示を含む動作が可能であり、且つ、指示入力が可能な入力手段と、画面表示がなされる画像表示器を備える携帯無線情報端末装置の画面操作方法であって、受信された信号が前記携帯無線情報端末装置宛ての信号であるか否かを確認し、前記受信された信号が前記携帯無線情報端末装置宛てであると確認された場合、前記受信された信号から得られた情報信号である前記メッセージを前記下層の階層に格納するとともに、前記下層の階層に格納された前記メッセージごとに、前記メッセージに対応する項目を前記下層の階層よりも上の階層に追加し、或る階層からひとつ上の階層への移動動作と、該ひとつ上の階層の画面表示動作とが組になった画面操作処理が、所定の指示入力が為されている期間、反復実行され、前記所定の指示入力が終了したか、または前記最上階層に到達した場合、前記移動動作を停止させることを特徴とする。
【００２２】
前記の方法によれば、指示入力の継続時間により、一階層移動するごとに該階層の画面が表示され、しかも入力操作中だけ上層移動が反復実行される。したがって指示入力の継続時間が長いと、自動的に最上階層の画面が表示される状態となり、最上階層の画面がメインメニュー表示であれば、メインメニューが表示され、最上階層の画面が待受画面であれば、待受画面が表示される。
【００２３】
また本発明に係る携帯無線情報端末装置は、少なくとも無線電波により着信した複数のメッセージを下層の階層に置き、最上階層がメインメニュー表示の階層か、または最上階層が待受画面表示の階層である、多階層構造の情報管理がなされ、前記各階層下での画面表示を含む動作が可能であり、且つ、指示入力が可能な入力手段と、画面表示がなされる画像表示器とを備える携帯無線情報端末装置であって、
受信された信号が前記携帯無線情報端末装置宛ての信号であるか否かを確認する確認手段と、
前記受信された信号が前記携帯無線情報端末装置宛てであると確認された場合、前記受信された信号から得られた情報信号である前記メッセージを前記下層の階層に格納するとともに、前記下層の階層に格納された前記メッセージごとに、前記メッセージに対応する項目を前記下層の階層よりも上の階層に追加する格納手段と、
前記入力手段からの入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段と
を備え、
且つ、前記入力信号の継続中は、前記画面操作処理が反復実行されることを特徴とする。
【００２４】
前記の構成によれば、指示入力判定手段と、移動管理手段と、階層間移動手段により、所定の指示入力が判定され、この指示入力の継続中は、階層間移動ならびに移動先の階層内の画面表示が反復実行される。
【００２５】
本発明に係る記録媒体は、受信された信号が携帯無線情報端末装置宛ての信号であるか否かを確認する確認手段と、
前記受信された信号が前記携帯無線情報端末装置宛てであると確認された場合、前記受信された信号から得られた情報信号であるメッセージを、多階層の下層の階層に格納するとともに、前記下層の階層に格納された前記メッセージごとに、前記メッセージに対応する項目を前記下層の階層よりも上の階層に追加する格納手段と、
画像表示機器と入力機器とを備え、最上階層がメインメニュー表示の階層か、または最上階層が待受画面表示の階層であり、少なくとも無線電波により着信した複数の前記メッセージが前記下層の階層に置かれる、多階層による情報管理がなされた前記携帯無線情報端末装置が、いずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記五種類の手段が、コンピュータが読み取り、且つコンピュータが実行可能なプログラムとして記録され、
且つ、前記入力信号の継続中は、前記画面操作処理が反復実行されることを特徴とする。
【００２６】
前記の構成によれば、少なくとも中央演算処理装置と複数基の入力機器と画像表示器とメッセージの記録用メモリを備え、複数の階層による情報管理がなされた携帯無線情報端末装置に、該記録媒体が動作手順の格納されたメモリとして組み込まれ、格納された各手段が動作手順として中央演算処理装置により順次実行されることによって、携帯無線情報端末装置がいずれかの階層下で作動中に発生した入力信号が所定の指示入力による入力信号かを判定し、発生した入力信号の継続中は、階層間移動ならびに移動先の階層内の画面表示を反復実行するという機能が該携帯無線情報端末装置に付与される。
【００２７】
本発明に係るマイクロコンピュータ装置は、中央演算処理装置と、前記中央演算処理装置が読み取り且つ実行可能な手順をプログラムとして記録可能な記録部と、少なくとも前記中央演算処理装置および前記記録部に接続され、且つ、外部から接続可能なデータ伝達部を内蔵し、前記中央演算処理装置により処理された結果に基づく信号を外部機器に有線または無線により伝達する機能を具備するマイクロコンピュータ装置であって、
受信された信号が携帯無線情報端末装置宛ての信号であるか否かを確認する確認手段と、
前記受信された信号が前記携帯無線情報端末装置宛てであると確認された場合、前記受信された信号から得られた情報信号であるメッセージを、多階層の下層の階層に格納するとともに、前記下層の階層に格納された前記メッセージごとに、前記メッセージに対応する項目を前記下層の階層よりも上の階層に追加する格納手段と、
画像表示機器と入力機器とを備え、最上階層がメインメニュー表示の階層か、または最上階層が待受画面表示の階層であり、少なくとも無線電波により着信した複数の前記メッセージが前記下層の階層に置かれる、多階層による情報管理がなされた前記携帯無線情報端末装置がいずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記五種類の手段が、前記中央演算処理装置により読み取り、且つ実行可能なプログラムとして記録され、
且つ、前記入力信号の継続中は、前記画面操作処理が反復実行される
ことを特徴とする。
【００２８】
前記の構成のマイクロコンピュータ装置と、通信機構部や受信メッセージの記録用メモリ、多階層による情報管理手段、入力機器、表示用の画像表示器、さらに電源回路などとが組み合わせられることにより、発生した入力信号が所定の指示入力による入力信号かを判定し、発生した入力信号の継続中は、階層間移動ならびに移動先の階層内の画面表示を反復実行するという、これら各機能を有する携帯無線情報端末装置が、簡素な構成で実現される。
【発明の効果】
【００２９】
本発明によれば、階層構造でデータ管理がなされ、ある階層下で作動中に、一度の簡単な入力操作で直ちに所定の上階層へ移動することができる。
【図面の簡単な説明】
【００３０】
【図１】本発明の第一の実施形態に係る携帯無線情報端末装置の要部構成を示すブロック図である。
【図２】図１に示される携帯無線情報端末装置の全体構成を示すブロック図である。
【図３】本発明に係る携帯無線情報端末装置に適用される回転・押込入力機器の一例の構成図である。
【図４】入力機器から発生する割込処理過程の遷移図である。
【図５】図１および図２に示される携帯無線情報端末装置の外観構成を示す正面図である。
【図６】図１および図２に示される他の携帯無線情報端末装置の外観構成を示す正面図である。
【図７】本発明の携帯無線情報端末装置の多層階層構造の説明図である。
【図８】本発明の第一の実施形態に係る携帯無線情報端末装置の動作を示すフローチャートである。
【図９】本発明の第二の実施形態に係る記録媒体の構成を示す説明図である。
【図１０】本発明の第三の実施形態に係るマイクロコンピュータ装置のブロック構成図である。
【図１１】本発明の第四の実施形態に係る携帯無線情報端末装置の要部構成を示すブロック図である。
【図１２】本発明の第四の実施形態に係る携帯無線情報端末装置の動作を示すフローチャートである。
【図１３】本発明の第五の実施形態に係る記録媒体の構成を示す説明図である。
【図１４】本発明の第六の実施形態に係るマイクロコンピュータ装置のブロック構成図である。
【発明を実施するための形態】
【００３１】
以下、この発明の好適な実施形態を添付図を参照して詳細に説明する。なお、以下に述べる実施形態は、この発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの形態に限られるものではない。
【００３２】
図１は、本発明の携帯無線情報端末装置の第一の実施形態に係る要部構成を示すブロック図である。図２は、その全体構成を示すブロック図である。
【００３３】
図５は、携帯無線情報端末装置の外観構成例を示す正面図である。さらに図６は、携帯無線情報端末装置の別の外観構成例を示す正面図である。
【００３４】
図２に示すように、本実施の形態に係る携帯無線情報端末装置１はページャであり、無線基地などの遠隔地にある送信拠点から送信された情報信号の載った無線電波を受信するアンテナ２と、アンテナ２に接続され、アンテナ２で受信した信号を増幅、検波する受信部３と、この受信部３に接続された、着信信号からコード情報を復号するデコーダである復調部４とを備え、これらが通信手段を構成している。
【００３５】
また復調部４はＡ／Ｄコンバータを備えてデジタル情報を生成させ、さらに、たとえばＥＥＰＲＯＭなどで構成されるＩＤメモリ（図示されない）に記録されているＩＤコードと、前記の復号されたコード情報とを照合し、送られた情報が自らに送られた情報であるか否かを識別する機能を備える。復調部４の出力側は、ＣＰＵ５に接続される。
【００３６】
ＣＰＵ５には、さらに、たとえばＳＲＡＭで構成されるメッセージ記憶メモリ７が接続されている。
【００３７】
ＣＰＵ５は、データ処理と入出力処理を司るもので、内部あるいは外部のＲＯＭに格納されている各種の実行可能な手順（プログラム）に基づき、後述する入力機器から送られる入力信号の取り込みと処理、メッセージ記憶メモリ７へのデータ書込みとメッセージファイル編成、ならびにファイル内のメッセージ文読出しの実行、ディスプレイ画面へのメッセージ情報などの表示の制御、ならびに着信の通報や電圧異常等の通報の制御を含む、装置全体の動作の制御と管理を行う。
【００３８】
さらに、目次および目次画面イメージの転写編成と、該目次および目次画面イメージをメインメニューとして上層の階層に置き、メッセージファイルを下層の階層に置く、階層構造の情報管理を司る。
【００３９】
着信信号に基づき復調部４で生成されたコード情報中のメッセージ情報は、メッセージ記憶メモリ７に書込み記憶される。この記憶されたメッセージ情報は、読出されてディスプレイ画面へ表示される。メッセージ記憶メモリ７は、前記ＳＲＡＭの他にも、フラッシュメモリや、ＥＥＰＲＯＭなどの不揮発性メモリで構成できる。
【００４０】
また、使用者によって操作される入力手段として、回転入力機器９、この回転入力機器９と一体に構成された押込スイッチ８がそれぞれ設けられる。このように回転入力機器９と押込スイッチ８は一体で、回転・押込入力機器３９を構成している。この回転・押込入力機器３９については後に詳述する。
【００４１】
使用者によって操作される入力手段として、さらに、入力スイッチ１６が設けられている。この入力スイッチ１６は、非回転操作が加えられて作動する非回転入力機器であり、押圧やタッチ等の非回転操作によって入力信号１６ａを発生させるものである。
【００４２】
ここでは、この入力スイッチ１６の発生させる入力信号１６ａを非回転入力信号と称する。また本実施形態ではこの入力スイッチ１６を、後述されるエスケープ操作や同時複合入力操作の入力機器として使用する。
【００４３】
これら回転入力機器９、押込スイッチ８、入力スイッチ１６は、入力機器制御部１０に接続され、入力機器制御部１０はＣＰＵ５に接続されている。
【００４４】
また、ＣＰＵ５には表示パネル駆動部１１が接続され、この表示パネル駆動部１１に液晶表示パネル１２が、ディスプレイ画面として接続されている。即ち、これら表示パネル駆動部１１と液晶表示パネル１２とで、画像表示器が構成されている。
【００４５】
ＣＰＵ５から出力される表示信号は表示パネル駆動部１１に送られ、表示パネル駆動部１１は、駆動信号を液晶表示パネル１２に入力してこの液晶表示パネル１２を駆動し、画面を形成させる。
【００４６】
さらにＣＰＵ５には通報信号出力部１３が接続され、この通報信号出力部１３にスピーカ１４が鳴音通報機器として接続されている。ＣＰＵ５は、スピーカ１４を作動させる作動信号を出力し、この作動信号が通報信号出力部１３に入力され、ここで音声信号となりスピーカ１４が駆動される。
【００４７】
上記のように、ＣＰＵ５、入力機器制御部１０などから制御手段が構成されている。以下、図１に基づき、要部の構成を詳説する。
【００４８】
データバスであるデータ伝達手段２０には、ＣＰＵ５、システムメモリ６、ＲＯＭ６’、メッセージ記憶メモリ７、入力信号処理部１０Ｂ、表示パネル駆動部１１、通報信号出力部１３などが接続されている。
【００４９】
したがってＣＰＵ５は、データ伝達手段２０を介してシステムメモリ６、ＲＯＭ６’、メッセージ記憶メモリ７、表示パネル駆動部１１、通報信号出力部１３、入力信号処理部１０Ｂとデータ授受を行なう。
【００５０】
システムメモリ６には、情報を階層構造に編成する手段や、情報データの添加・削除ならびにロックをはじめ、装置全体の動作を制御するための各種の制御手順が、ＣＰＵ５が実行可能なプログラム形式で格納されている。
【００５１】
ＲＯＭ６’には、主としてアプリケーション関連の実行手順が、ＣＰＵ５が実行可能なプログラム形式で格納されており、このＲＯＭ６’は読出し専用のＭＯＳメモリや、フラッシュメモリ等によって構成されている。
【００５２】
図３は、回転・押込入力機器の一例の構成図である。同図に示されるように、本例の回転・押込入力機器３９は、回転操作部としての回転入力機器９と、押込操作部としての押込スイッチ８が、一体に構成されている。
【００５３】
このような回転・押込入力機器３９は、携帯無線情報端末装置の小型化と、部品点数の削減を可能にするものであり、例えばジョグダイヤルやロータリーエンコーダとして実用化されているもので、回転操作部は回転自在の円板状つまみを備え、また押込操作部は、この円板状つまみごと押し込むことで断続信号を発生する構成となっている。
【００５４】
したがって、円板状つまみを時計方向（右回り）および反時計方向（左回り）にそれぞれ回転させることにより、二系統の入力信号が容易に得られる。
【００５５】
その上、円板状つまみの押込みによる断続入力信号が得られることにより、スイッチ類の個数が削減されて、装置の小型化と、操作性の向上がなされるものである。
【００５６】
回転入力機器９は、矢印Ｐｒ方向に回転可能なつまみを有し、このつまみが時計方向または反時計方向に回転されることにより入力が為され、この回転方向に対応した信号９ａが端子に発生する。ここでは、この信号を回転入力信号９ａと称する。
【００５７】
一方、押込スイッチ８は、つまみが図中の矢印Ｐｆ方向に押し込まれることによりストローク移動し、この結果、断続信号８ａが端子に発生する。ここでは、この信号を断続入力信号８ａと称する。
【００５８】
回転入力機器９のつまみの回転方向の情報は、入力機器制御部１０を構成する回転方向検出回路１０Ｃが端子から得た信号として、インタラプトインタフェース１０Ａに入力される。
【００５９】
インタラプトインタフェース１０Ａでは、この入力に基づいてインタラプト信号を発生させると同時に、つまみの回転方向の情報を載せた信号１０Ａａ（図１参照）を編成して入力信号処理部１０Ｂに入力する。
【００６０】
ここで入力信号処理部１０Ｂは、信号１０Ａａを受けると、そのまま直ちに、あるいはホールドした上で、データ伝達手段２０に出力する。
【００６１】
この情報は、システムメモリ６中に格納された回転機器の回転方向弁別手段（図示されない）の実行時に取り込まれる。
【００６２】
前記のように、入力信号処理部１０Ｂが信号１０Ａａをホールドせず、直ちに出力する構成の場合は、つまみの回転方向の情報が一度だけ利用されることになる。すなわち一度のつまみ操作が、一度の処理に対応する。
【００６３】
一方、入力信号処理部１０Ｂが信号１０Ａａをホールドする構成の場合は、つまみの回転方向の情報が反復して利用される構成にできる。したがって、つまみが連続して回転状態にあると、その間繰り返し処理が反復されることになる。
【００６４】
また、図示されるように回転入力機器９のつまみの回転量ならびに回転速度の情報を、入力機器制御部１０を構成する回転量／回転速度検出回路１０Ｄが端子から得た信号としてインタラプトインタフェース１０Ａに入力して、以降の処理において取り込む構成にすることもできる。
【００６５】
また、押込スイッチ８の発生させる断続入力信号８ａは、入力機器制御部１０を構成するスイッチオンオフ検出回路１０Ｅが端子から得た信号として、同様にインタラプトインタフェース１０Ａに入力される。
【００６６】
また前記の回転入力機器９及び押込スイッチ８は、それぞれ個別に操作可能に構成されており、したがって両方を同時に操作して同時複数入力することが可能となっている。
【００６７】
前記のような回転・押込入力機器３９の回転入力機器９は、表示される画面のスクロールや、画面上の特定部分を選択する選択信号等を含む、動作制御全般の指令信号の入力機器として作用する。また押込みスイッチ８は、選択された部分の確定や表示数値の確定をはじめ、例えば装置の動作をある階層から別の階層に移行させる信号の入力機器として作用する。
【００６８】
回転入力機器９、押込スイッチ８、入力スイッチ１６からの回転入力信号９ａ、断続入力信号８ａ、非回転入力信号１６ａは、インタラプトインタフェース１０Ａを介してインタラプト信号となり、ＣＰＵ５の割込み受け付け端子から取り込まれる。
【００６９】
この構成によれば、回転入力機器９、押込スイッチ８、入力スイッチ１６の少なくともいずれか一個が操作されて回転入力信号９ａ、断続入力信号８ａ、非回転入力信号１６ａの少なくともいずれか一個が発生すると、インタラプトインタフェース１０Ａによりインタラプト信号がＣＰＵ５に入力され、ＣＰＵ５はインタラプト処理フェーズに移る。
【００７０】
図４は、入力機器から発生する割込処理過程の遷移図である。当初、非割込対応手順の演算処理Ｗ３０の状態にあったＣＰＵ５は、インタラプト信号の入力を受けてインタラプト発生Ｗ３１を検知すると、システムメモリ６に内蔵されたインタラプト信号処理手順を実行してインタラプト信号の処理Ｗ３２を行なう。ここで先ず割込を発生させた入力機器を同定するが、この入力機器の同定は、割込み受け付け端子から直接割り出すものと、あるいはインタラプトインタフェース１０Ａによって入力信号１０Ａａが入力信号処理部１０Ｂに送られるのに基づき割り出すものがある。
【００７１】
この入力機器の同定処理において、複数の入力機器からの同時入力操作を割り出すことができる。すなわち、複数の入力機器からの同時入力操作があった場合、インタラプト発生Ｗ３１はそのうちで最も早くインタラプト信号を発生させた一個の入力機器に限られるが、インタラプト信号の処理Ｗ３２においてキューイングリストが参照されることにより、複数の同時入力操作がなされたことが確認される。
【００７２】
前記のようにして割込を発生させた入力機器、すなわち使用者によって操作がなされた入力機器が同定されると、符号Ｗ３３においてシステムメモリ６からその入力機器に対応するインタラプト対応手順を読出し、インタラプト対応手順の演算処理Ｗ３４の状態となる。このようにして符号Ｗ３５において入力機器からの入力値などが確定すると、インタラプトの処理が完了して、ＣＰＵ５は非割込対応手順の演算処理Ｗ３０の状態に戻る。この段階で入力機器からの入力値が使用されることになる。
【００７３】
つぎに、図１に戻って、ＲＯＭ６’に格納されている各種の手段につき以下に説明する。
【００７４】
同図に示されるように、ＲＯＭ６’内には、指示入力判定手段２６、移動管理手段２７、階層間移動手段２８が、いずれもＣＰＵ５によって実行可能な手順（プログラム）として格納されている。
【００７５】
指示入力判定手段２６は、入力手段からの入力信号が所定の指示入力による入力信号かを判定するよう動作する。
【００７６】
移動管理手段２７は、指示入力判定手段２６の判定に基づき、発生した入力信号が継続中であるかを確認して、発生した入力信号が継続中であれば階層間移動手段２８を作動させ、発生した入力信号が終止すれば階層間移動手段２８の作動を停止させるよう動作する。
【００７７】
階層間移動手段２８は、作動管理手段２７の指令に基づき階層間の階層間移動を行なうとともに、移動先の階層内の画面表示を実行するよう動作する。
【００７８】
前記各手段のプログラム形式は、直接あるいは間接に実行可能なものであればよく、したがってアブゾリュート・バイナリとしてアドレッシングされた形式が好ましいが、あるいはリロケータブル・バイナリとして実行時に再アドレッシングが必要な形式でも差し支えない。ただし後者の場合はリンケージ手段を、例えばシステムメモリ６に常駐させる必要がある。
【００７９】
図５は、本実施形態に係る携帯無線情報端末装置の外観の構成を示す正面図である。以下、同図を参照して本実施形態に係る携帯無線情報端末装置の構成を説明する。
【００８０】
本実施の形態に係る携帯無線情報端末装置１は、薄型の直方体形状のキャビネット１５に収容されており、キャビネット１５の前面のほぼ中央にメッセージや年月日あるいは時刻の表示を行なう液晶表示パネル１２が設けられている。
【００８１】
さらにキャビネット１５の右上角部には、回転・押込入力機器３９としてジョグダイヤルが、その一部をキャビネット１５から外側に突出させるようにして取り付けられている。回転・押込入力機器３９には、回転入力機器９として時計方向および反時計方向に回転自在のつまみを備える。
【００８２】
さらに回転入力機器９と一体に、押込スイッチ８が設けられている。この押込スイッチ８は、回転入力機器９のつまみを押し込む操作によって動作がなされるものである。
【００８３】
また、液晶表示パネル１２に隣接して下方に、エスケープキーとしての入力スイッチ１６が、押圧操作自在に埋め込まれて配置されている。この入力スイッチ１６は、上層の階層へのエスケープ入力や、着信時に通報として奏鳴されるアラーム音を停止する通報停止指令の入力や、動作制御の指令入力時に、使用者によって操作される。
【００８４】
さらにこの入力スイッチ１６は、キャビネット１５の表面から僅かにキャビネットの内部方向に窪んで配置することによって、外力が容易に作用しない構造とすることができる。これによって、誤動作の発生を防止可能な構造にすることができる。
【００８５】
液晶表示パネル１２には、たとえば１行２０文字で４行にわたる英文字または数字でメッセージ表示がなされる。
【００８６】
図６は、本実施形態に係る別の携帯無線情報端末装置の外観の構成例を示す正面図である。
【００８７】
本例に係る携帯無線情報端末装置１’は、薄型の直方体形状のキャビネット１５’に収容されており、キャビネット１５’の前面のほぼ中央にメッセージや年月日あるいは時刻の表示を行なう液晶表示パネル１２’が設けられている。
【００８８】
さらにキャビネット１５’の右下には、スクロールなどの指示入力に使用される矢印ボタン９’が設けられている。さらにその左側に、押込スイッチ８’が設けられている。
【００８９】
また、液晶表示パネル１２の下方左側に、エスケープキーとしての入力スイッチ１６’が、押圧操作自在に埋め込まれて配置されている。この入力スイッチ１６’は、上層の階層へのエスケープ入力や、着信時に通報として奏鳴されるアラーム音を停止する通報停止指令の入力や、動作制御の指令入力時に、使用者によって操作される。
【００９０】
液晶表示パネル１２’には、たとえば１行２０文字で４行にわたる英文字または数字でメッセージ表示がなされる。
【００９１】
以上、本実施形態に係る携帯無線情報端末装置の構成につき説明した。ついで以下に、本携帯無線情報端末装置の動作を説明する。
【００９２】
先ず、通常の動作である無線信号の受信とメッセージ表示を、主として図２を参照して説明する。
【００９３】
無線送信拠点から、特定の携帯無線情報端末装置１に向けた情報（メッセージ）を載せた電波が送信された場合、携帯無線情報端末装置１はこれをアンテナ２で受信し、受信部３において中間周波数変換、増幅、検波などの信号処理を行ない、復調部４において自分への送信であることを確認後に、受信した情報信号を復元させ、復元させた情報信号をＣＰＵ５の制御によりメッセージ記憶メモリ７に格納させる。
【００９４】
この際に、一個のメッセージ文につき一個のメッセージファイルを新規作成するものとし、メッセージ文を格納した各メッセージファイルを、階層情報構造のうちの下層の階層に置く。
【００９５】
さらに、新規作成したメッセージファイルに対応する項目を、上層の階層に置かれた目次（すなわちメインメニュー）に追加する。
【００９６】
なお、前記の上層の階層と下層の階層は、論理上の階層構成であって、物理的には目次も、複数のメッセージファイルも、ファイルやフォルダとしてメッセージ記憶メモリ７に配置格納されている。
【００９７】
ＣＰＵ５は、システムメモリ６に格納されている制御プログラムに基づいて、携帯無線情報端末装置１の動作を制御し、先ず情報信号の受信の有無を判定し、受信信号があると判定すると、表示パネル駆動部１１を作動させ、メッセージ記憶メモリ７のメッセージファイルから読み出した受信情報のメッセージを、液晶表示パネル１２に、たとえば英文字と数字により１行２０文字で４行にわたって表示させる。
【００９８】
なお、画像表示器は前記の液晶表示パネルに限られることなく、ＬＥＤパネルや、有機ＥＬ（エレクトロルミネッセンス）パネルなど、任意の凡ゆる画像表示機器が適用可能である。
【００９９】
また、画面構成についても、前記の１行２０文字で４行構成に限られることなく、任意の凡ゆる画面構成の適用が可能である。
【０１００】
また、受信信号があると判定すると、ＣＰＵ５の指令によって、通報信号出力部１３が作動し、スピーカ１４にアラーム信号が入力されてスピーカ１４が奏鳴し、これによって使用者に対して着信の通報が行なわれる。
【０１０１】
図７は、本発明の携帯無線情報端末装置の多階層情報構造を示す説明図であり、各階層に対応する画面が示される。
【０１０２】
同図に示されるように、最上層の第０階層Ｐ１は待受画面であり、パワーセービングのモードである。
【０１０３】
第一階層Ｎ１はメインメニュー画面表示であり、その下層の第二階層Ｎ２には画面Ａ〜画面Ｃが表示され、さらにその下層の第三階層Ｎ３には画面Ａ’〜画面Ｃ’が表示される構成となっている。
【０１０４】
図８は、本発明の第一の実施形態に係る携帯無線情報端末装置の動作を示すフローチャートである。以下、同図を参照して、動作を説明する。
【０１０５】
ステップＳ１において、指示入力判定手段２６により、入力信号が検査される。入力信号が回転入力機器９からの回転入力によるものであれば、下階層候補中から選択された画面を表示し（ステップＳ２）、処理を終える。
【０１０６】
一方、ステップＳ１において入力信号が回転入力機器９からの押込入力によるものであれば、下階層候補を選択し（ステップＳ３）、処理を終える。
【０１０７】
また、ステップＳ１において入力信号が入力スイッチ１６からのものであれば、階層間移動手段２８はひとつ上の階層に戻るとともに（ステップＳ４）、その階層の画面表示をする（ステップＳ５）。
【０１０８】
ここで、表示された画面を使用者によって確認可能にするため、所定の時間だけ画面をホールドさせるためのループに入る（ステップＳ６）。
【０１０９】
所定の時間が過ぎてステップＳ６のループから抜けると、入力スイッチ１６がオフになったかの確認がなされる（ステップＳ７）。
【０１１０】
入力スイッチ１６がオフでなければ、ステップＳ４に戻り、再度、ひとつ上の階層に戻るとともに、その階層の画面表示をする。
【０１１１】
このようにして、入力スイッチ１６が押されている間中は、ひとつ上の階層への移動と、その画面表示が反復して実行される。
【０１１２】
連続した、何度かの階層移動と画面表示で、所望の階層に至り、画面表示により確認した時点で、使用者が入力スイッチ１６を放せば、その階層に留まって、同時に処理は終了する。
【０１１３】
上記のように、本実施形態によれば、所望の時間だけ継続して入力スイッチ１６を押し続けることにより、一層ずつ画面表示しながら上階層に戻ることができるので、画面確認しつつ、所望の上階層に迅速に戻ることができる。
【０１１４】
さらに、入力スイッチ１６を連続して押し続けることにより、最上階層の画面に自動的に戻ることができる。
【０１１５】
ここで、最上階層にメインメニューが指定された構成であれば、操作中に階層上で自分の位置を失い迷子になっても、入力スイッチ１６を連続して押し続けることにより、必ずメインメニューに戻ることができる。
【０１１６】
また、最上階層に待受画面が指定された構成であれば、入力スイッチ１６を連続して押し続けることにより、パワーセーブされる待受画面に直ちに戻ることができるから、無駄な電力消費を最小にして、小容量の電池であっても長期間の使用を可能にすることができる。
【０１１７】
図９は、本発明の第二の実施形態に係る記録媒体の構成を示す説明図である。同図を参照して、第二の実施形態に係る記録媒体を以下に説明する。
【０１１８】
本実施形態の記録媒体４０は、ワンチップ構成の半導体メモリであり、その内部に、少なくとも以下の三手段が、コンピュータが読み取り、且つコンピュータが実行可能なプログラム（手順）として記録されている。これら三手段は、チップ端子４０ａを介してアクセス可能に構成されている。
【０１１９】
記録されている第一の手段は、指示入力判定手段２６である。この手段は、コンピュータの中央演算処理装置によって読み取られ、且つコンピュータの中央演算処理装置によって実行されることで、入力手段からの入力信号が所定の指示入力による入力信号かを判定するよう動作する。
【０１２０】
第二の手段は、移動管理手段２７である。この手段は、指示入力判定手段２６の判定に基づき、発生した入力信号が継続中であるかを確認して、発生した入力信号が継続中であれば階層間移動手段２８を作動させ、発生した入力信号が終止すれば階層間移動手段２８の作動を停止させるよう動作する。
【０１２１】
第三の手段は、階層間移動手段２８である。この手段は、コンピュータの中央演算処理装置によって読み取られ、且つコンピュータの中央演算処理装置によって実行される際に、作動管理手段２７の指令に基づき階層間の階層間移動を行なうとともに、移動先の階層内の画面表示を実行するよう動作する。
【０１２２】
この記録媒体４０を、中央演算処理装置と入力機器と画像表示器とメッセージの記録用メモリに加えて、データの多階層構築などの多階層による情報管理手段を備えた携帯無線情報端末装置に、中央演算処理装置の動作手順の格納されたメモリとして組み込むことができる。
【０１２３】
前記のように記録媒体４０を装着し、格納された各手段を動作手順として中央演算処理装置により順次実行することによって、入力手段からの入力信号が所定の指示入力による入力信号かを判定し、発生した入力信号が継続中であるかを確認して、発生した入力信号が継続中であれば階層間移動を行なうとともに、移動先の画面表示を行ない、しかもこれを入力信号が継続中に反復する動作をを実行することができる。
【０１２４】
この結果、前記の各機能を備えた携帯無線情報端末装置を具現することが可能になる。
【０１２５】
本実施形態の記録媒体４０は、フラッシュメモリをはじめ、読出し専用のＭＯＳメモリ、ＳＲＡＭ、ＥＰＲＯＭ、ＥＥＰＲＯＭ、その他の凡ゆる不揮発性半導体記録媒体に対して適用可能である。
【０１２６】
さらに、光記録式の媒体や、光磁気記録式の媒体、磁気記録式の媒体に対しても適用可能である。
【０１２７】
図１１は、本発明の第三の実施形態に係るマイクロコンピュータ装置のブロック構成図である。同図を参照して、本発明の第三の実施形態に係るマイクロコンピュータ装置を以下に説明する。
【０１２８】
本実施形態に係るマイクロコンピュータ装置８０は、ワンチップで構成され、内部バス８６と、この内部バス８６に夫々接続されている中央演算処理装置（ＣＰＵ）８１、ワーキングメモリ８２、表示インタフェース８３、出力インタフェース８４、入力インタフェース８５、メモリ部９１が内蔵されている。
【０１２９】
前記ワンチップに設けられた外部端子としては、ＣＰＵ８１の割込入力に接続されたインタラプト入力端子８７、表示インタフェース８３と出力インタフェース８４に接続された出力端子８８、入力インタフェース８５に接続された入力端子８９、さらに、内部バス８６に接続されている共通バス端子９０が夫々配設されている。
【０１３０】
さらにメモリ部９１には、いずれもＣＰＵ８１によって実行可能なプログラムとして、システム制御手段９５、入出力管理手段９６、表示管理手段９７、さらに指示入力判定手段２６、移動管理手段２７、階層間移動手段２８などが記録されている。
【０１３１】
システム制御手段９５は、このワンチップ内の各部分の動作の制御を行なうのみならず、このマイクロコンピュータ８０が組み込まれるシステム全体あるいはシステム各部分の制御を司るもので、その手順は適用される各システムに適合するものが採用される。
【０１３２】
同様に入出力管理手段９６は、このワンチップ内と外部とのデータや信号の授受の管理を行なうのみならず、このマイクロコンピュータ装置８０が組み込まれるシステムあるいはシステム各部分と、外界とのデータや信号の授受の管理を司るものである。したがって、その手順は適用される各システムに適合するものが採用されている。
【０１３３】
一方、表示管理手段９７は、このマイクロコンピュータ装置８０に外部接続された画像表示器への表示を司るもので、主としてメッセージ文をはじめ、種々の制御アイコンなどの画面表示を管理する。
【０１３４】
指示入力判定手段２６は、ＣＰＵ８１によって読み取られ、且つ実行される際に、入力手段からの入力信号が所定の指示入力による入力信号かを判定するよう動作する。
【０１３５】
移動管理手段２７は、ＣＰＵ８１によって読み取られ、且つ実行される際に、指示入力判定手段２６の判定に基づき、発生した入力信号が継続中であるかを確認して、発生した入力信号が継続中であれば、階層間移動手段２８を作動させ、発生した入力信号が終止すれば、階層間移動手段２８の作動を停止させるよう動作する。
【０１３６】
階層間移動手段２８は、ＣＰＵ８１によって読み取られ、且つ実行される際に、作動管理手段２７の指令に基づき階層間の階層間移動を行なうとともに、移動先の階層内の画面表示を実行するよう動作する。
【０１３７】
このマイクロコンピュータ装置８０を、通信機構部や受信メッセージの記録用メモリ、多階層による情報管理手段、入力機器、表示用の画像表示器、さらに電源回路などが備えられた携帯無線情報端末装置に組み込むことができる。
【０１３８】
前記のようにマイクロコンピュータ装置８０を装着し、格納された各手段を順次実行すると、発生した入力信号が所定の指示入力による入力信号かを判定し、発生した入力信号の継続中は、階層間移動ならびに移動先の階層内の画面表示を反復実行することが可能になる。
【０１３９】
この結果、前記の各機能を備えた携帯無線情報端末装置を具現することが可能になる。
【０１４０】
図１１は、本発明の第四の実施形態に係る携帯無線情報端末装置の要部構成を示すブロック図である。
【０１４１】
図１２は、本発明の第四の実施形態に係る携帯無線情報端末装置の動作を示すフローチャートである。
【０１４２】
以下、両図に基づいて本実施形態に係る携帯無線情報端末装置の構成と動作を説明する。なお、前記第一の実施形態に係る携帯無線情報端末装置と同じ部分には同一符号を付けて、説明は省略される。
【０１４３】
本実施形態に係る携帯無線情報端末装置５０のデータバスであるデータ伝達手段２０には、ＣＰＵ５、システムメモリ６、ＲＯＭ４６’、メッセージ記憶メモリ７、タイマー２２、入力信号処理部１０Ｂ、表示パネル駆動部１１、通報信号出力部１３などが接続されている。
【０１４４】
したがってＣＰＵ５は、データ伝達手段２０を介してシステムメモリ６、ＲＯＭ４６’、タイマー２２、メッセージ記憶メモリ７、表示パネル駆動部１１、通報信号出力部１３、入力信号処理部１０Ｂとデータ授受を行なう。
【０１４５】
ＲＯＭ４６’は読出し専用のＭＯＳメモリや、フラッシュメモリ等によって構成され、このＲＯＭ４６’内には、指示入力処理手段２９、移動制御手段３０、上階層移動手段３１を少なくとも含む各種の手段が、ＣＰＵ５が実行可能なプログラム形式で格納されている。
【０１４６】
指示入力処理手段２９は、ＣＰＵ５によって読み取られ、且つ実行されるもので、多階層による情報管理がなされた携帯無線情報端末装置がいずれかの階層下で作動中に、発生した入力信号が所定の指示入力による入力信号かの判定をするよう動作する。
【０１４７】
移動制御手段３０は、ＣＰＵ５によって読み取られ、且つ実行されるもので、発生した入力信号の継続時間を計数し、該継続時間が所定の時間を過ぎていれば上階層移動手段へ最上階層への移動を指示し、該継続時間が所定の時間内であれば近接の上階層への移動を指示するよう動作する。
【０１４８】
上階層移動手段３１は、ＣＰＵ５によって読み取られ、且つ実行されるもので、移動制御手段３０の指令に基づき、少なくとも最上階層への移動あるいは近接の上階層への移動を実行するよう動作する。
【０１４９】
図１２は、本発明の第四の実施形態に係る携帯無線情報端末装置の動作を示すフローチャートである。以下、同図を参照して、動作を説明する。
【０１５０】
ステップＳ２１において、指示入力処理手段２９により、入力信号が検査される。入力信号が回転入力機器９からの回転入力によるものであれば、下階層候補中から選択された画面を表示し（ステップＳ２２）、処理を終える。
【０１５１】
一方、ステップＳ２１において入力信号が回転入力機器９からの押込入力によるものであれば、下階層候補を選択し（ステップＳ２２）、処理を終える。
【０１５２】
また、ステップＳ２１において入力信号が入力スイッチ１６からのものであれば、移動制御手段３０はタイマー２２を設定し（ステップＳ２４）、ついで入力スイッチ１６がオフになるまでループする（ステップＳ２５）。この間にタイマー２２は計時を進行させる。
【０１５３】
入力スイッチ１６がオフになれば、移動制御手段３０はタイマー２２の計時分（経過時間）と、予め定めたしきい値とを比較し（ステップＳ２６）、経過時間が、しきい値を超えていれば、予め指定されている最上階層に一挙に戻る（ステップＳ２７）。
【０１５４】
一方、経過時間が、しきい値を超えていなければ、ひとつ上の階層に戻る（ステップＳ２８）。
【０１５５】
上記のように、本実施形態によれば、所定の時間以上継続して入力スイッチ１６を押し続けることにより、一挙に最上階層に戻ることができるので、最上階層として目次画面を予め指定しておくことにより、下層において現在位置が確認できなくなったような際に、簡単な操作で一挙に目次に復帰することができ、使用者の使い勝手が向上する。
【０１５６】
さらに、最上階層として、パワーセーブされる待受画面を予め指定しておくことにより、使用完了すれば簡単な操作で直ちに待受画面に戻ることができるから、無駄な電力消費を最小にして、小容量の電池であっても長期間の使用を可能にすることができる。
【０１５７】
図１３は、本発明の第五の実施形態に係る記録媒体の構成を示す説明図である。同図を参照して、第五の実施形態に係る記録媒体を以下に説明する。
【０１５８】
本実施形態の記録媒体４１は、ワンチップ構成の半導体メモリであり、その内部に、少なくとも以下の三手段が、コンピュータが読み取り、且つコンピュータが実行可能なプログラム（手順）として記録されている。これら三手段は、チップ端子４１ａを介してアクセス可能に構成されている。
【０１５９】
記録されている第一の手段は、指示入力処理手段２９である。この手段は、コンピュータの中央演算処理装置によって読み取られ、且つコンピュータの中央演算処理装置によって実行されることで、多階層による情報管理がなされた携帯無線情報端末装置がいずれかの階層下で作動中に、発生した入力信号が所定の指示入力による入力信号かの判定をするよう動作する。
【０１６０】
第二の手段は、移動制御手段３０である。この手段は、コンピュータの中央演算処理装置によって読み取られ、且つコンピュータの中央演算処理装置によって実行される際に、発生した入力信号の継続時間を計数し、該継続時間が所定の時間を過ぎていれば上階層移動手段へ最上階層への移動を指示し、該継続時間が所定の時間内であれば近接の上階層への移動を指示するよう動作する。
【０１６１】
第三の手段は、上階層移動手段３１である。この手段は、コンピュータの中央演算処理装置によって読み取られ、且つコンピュータの中央演算処理装置によって実行される際に、移動制御手段３０の指令に基づき、少なくとも最上階層への移動あるいは近接の上階層への移動を実行するよう動作する。
【０１６２】
この記録媒体４１を、中央演算処理装置と入力機器と画像表示器とメッセージの記録用メモリと複数の階層による情報管理手段を備えた携帯無線情報端末装置に、中央演算処理装置の動作手順の格納されたメモリ装置として組み込むことができる。
【０１６３】
前記のように記録媒体４１を装着し、格納された各手段を動作手順として中央演算処理装置により順次実行すると、携帯無線情報端末装置がいずれかの階層下で作動中に、発生した入力信号が所定の指示入力による入力信号かの判定を行ない、発生した入力信号の継続時間を計数し、この継続時間が所定の時間を過ぎていれば最上階層へ移動し、継続時間が所定の時間内であれば近接の上階層へ移動することができる。
【０１６４】
この結果、前記の各機能を備えた携帯無線情報端末装置を具現することが可能になる。
【０１６５】
本実施形態の記録媒体４１は、フラッシュメモリをはじめ、読出し専用のＭＯＳメモリ、ＳＲＡＭ、ＥＰＲＯＭ、ＥＥＰＲＯＭ、その他の凡ゆる不揮発性半導体記録媒体に対して適用可能である。
【０１６６】
さらに、光記録式の媒体や、光磁気記録式の媒体、磁気記録式の媒体に対しても適用可能である。
【０１６７】
図１４は、本発明の第六の実施形態に係るマイクロコンピュータ装置のブロック構成図である。同図を参照して、本発明の第六の実施形態に係るマイクロコンピュータ装置を以下に説明する。なお、前記第三の実施形態に係るマイクロコンピュータ装置と同じ部分は同一符号を付けて、説明は省略される。
【０１６８】
本実施形態に係るマイクロコンピュータ装置１００は、ワンチップで構成され、内部バス８６と、この内部バス８６に夫々接続されている中央演算処理装置（ＣＰＵ）８１、ワーキングメモリ８２、表示インタフェース８３、出力インタフェース８４、入力インタフェース８５、メモリ部９２が内蔵されている。
【０１６９】
前記ワンチップに設けられた外部端子としては、ＣＰＵ８１の割込入力に接続されたインタラプト入力端子８７、表示インタフェース８３と出力インタフェース８４に接続された出力端子８８、入力インタフェース８５に接続された入力端子８９、さらに、内部バス８６に接続されている共通バス端子９０が夫々配設されている。
【０１７０】
さらにメモリ部９２には、いずれもＣＰＵ８１によって実行可能なプログラムとして、システム制御手段９５、入出力管理手段９６、表示管理手段９７、さらに指示入力処理手段２９、移動制御手段３０、上階層移動手段３１などが記録されている。
【０１７１】
システム制御手段９５、入出力管理手段９６、表示管理手段９７は、前記第三の実施形態におけると同じである。
【０１７２】
指示入力処理手段２９は、ＣＰＵ８１によって読み取られ、且つ実行される際に、画像表示機器と入力機器とを備え、多階層による情報管理がなされた携帯無線情報端末装置がいずれかの階層下で作動中に、発生した入力信号が所定の指示入力による入力信号かの判定を実行するよう動作する。
【０１７３】
移動制御手段３０は、ＣＰＵ８１によって読み取られ、且つ実行される際に、指示入力処理手段２９の判定に基づき、発生した入力信号の継続時間を計数し、該継続時間が所定の時間を過ぎていれば上階層移動手段へ最上階層への移動を指示し、該継続時間が所定の時間内であれば近接の上階層への移動を指示するよう動作する。
【０１７４】
上階層移動手段３１は、ＣＰＵ８１によって読み取られ、且つ実行される際に、移動制御手段３０の指令に基づき、少なくとも最上階層への移動あるいは近接の上階層への移動を実行するよう動作するものである。
【０１７５】
このマイクロコンピュータ装置１００を、通信機構部や受信メッセージの記録用メモリ、多階層による情報管理手段、入力機器、表示用の画像表示器、さらに電源回路などが備えられた携帯無線情報端末装置に組み込むことができる。
【０１７６】
前記のようにマイクロコンピュータ装置１００を装着し、格納された各手段を順次実行すると、携帯無線情報端末装置がいずれかの階層下で作動中に、発生した入力信号が所定の指示入力による入力信号かの判定を行ない、発生した入力信号の継続時間を計数し、この継続時間が所定の時間を過ぎていれば最上階層へ移動し、継続時間が所定の時間内であれば近接の上階層へ移動するという動作が可能になる。
【０１７７】
この結果、前記の各機能を備えた携帯無線情報端末装置を具現することが可能になる。
【符号の説明】
【０１７８】
１  携帯無線情報端末装置，  ２  アンテナ，  ３  受信部，  ４  復調部，  ５  ＣＰＵ，  ６  システムメモリ，  ６’  ＲＯＭ，  ７  メッセージ記憶メモリ，  ８  押込スイッチ，  ９  回転入力機器，  １０Ａ  インタラプトインタフェース，  １０Ｂ  入力信号処理部，  １１  表示パネル駆動部，  １２  液晶表示パネル，  １３  通報信号出力部，  １４  スピーカ，  １６  入力スイッチ，  ２０  データ伝達手段（データバス），  ２６  指示入力判定手段，  ２７  移動管理手段，  ２８  階層間移動手段，  ３９  回転・押込入力機器
【図１】
0005818842.tif 000002
【図２】
0005818842.tif 000003
【図３】
0005818842.tif 000004
【図４】
0005818842.tif 000005
【図５】
0005818842.tif 000006
【図６】
0005818842.tif 000007
【図７】
0005818842.tif 000008
【図８】
0005818842.tif 000009
【図９】
0005818842.tif 000010
【図１０】
0005818842.tif 000011
【図１１】
0005818842.tif 000012
【図１２】
0005818842.tif 000013
【図１３】
0005818842.tif 000014
【図１４】
0005818842.tif 000015